(57)【特許請求の範囲】
【請求項１】
作業者が搭乗するゴンドラには３本以上の吊柱が起立固設され、吊柱には高欄の外面を転動する水平荷重支承用ローラが設けられ、そして吊柱の上端には水平腕が脱着自在に取り付けられ、水平腕には高欄の上面を転動する垂直荷重支承用ローラが設けられ、さらに水平腕の先端には垂直腕が取り付けられ、垂直腕には高欄の内面を転動する水平荷重支承用ローラが設けられており、前記ゴンドラの下面には複数本の水平脚が固設され、水平脚の先端には橋梁の下面を転動する転動ローラが設けられていることを特徴とした橋梁用移動足場。
【請求項２】
前記水平腕に設けられている垂直荷重支承用ローラ、及び前記垂直腕に設けられている水平荷重支承用ローラは、高さが可調整に取り付けられている請求項１に記載の橋梁用移動足場。
【請求項３】
前記水平腕の一端は前記吊柱の肩部に脱着自在に取り付けられ、水平腕の他端には前記垂直腕の肩部が脱着自在に取り付けられている請求項１又は２に記載の橋梁用移動足場。
【発明の詳細な説明】
【０００１】
【発明の属する技術分野】
本発明は道路又は鉄道の橋梁を点検、保守、修理するための橋梁用移動足場に関し、特に橋梁の外面の点検、保守、修理に好適に実施できる橋梁用移動足場に関する。
【０００２】
【従来の技術】
橋梁用移動足場には、橋梁の両側の高欄から下げた吊柱に足場を渡し、橋梁の外面及び下面を一括して点検、保守、修理するもの（特開昭６１−３８００４号公報、特開平５−１７９６１６号公報、特公平７−６５２９５号公報）、及び橋梁の高欄から下げた吊柱にゴンドラを設け、橋梁の外面を点検、保守、修理するもの（実公平３−５５６１８号公報）がある。
【０００３】
特に、橋梁の外面だけを点検、保守、修理する場合は、実公平３−５５６１８号公報に示される橋梁用移動足場が有効である。図６に示すように、この橋梁用移動足場２１は、橋梁２２の高欄２３から下げた吊柱２４にゴンドラ２５が設けられ、高欄２３に沿って移動するようになっている。ところで、橋梁２２には数１０メートル毎に照明灯が設けられている場合が多く、従来の橋梁用移動足場２１は照明灯のポールをまたぐことはできないので、照明灯が設けられている橋梁に対応できず、照明灯が設けられている橋梁では実施できない。
【０００４】
【発明が解決しようとする課題】
本発明は上記に鑑みてなされたもので、照明灯が設けられている橋梁でも有効に実施できる橋梁用移動足場を提供することを目的としている。
【０００５】
【課題を解決するための手段】
本発明の橋梁用移動足場によれば、作業者が搭乗するゴンドラには３本以上の吊柱が起立固設され、吊柱には高欄の外面を転動する水平荷重支承用ローラが設けられ、そして吊柱の上端には水平腕が脱着自在に取り付けられ、水平腕には高欄の上面を転動する垂直荷重支承用ローラが設けられ、さらに水平腕の先端には垂直腕が取り付けられ、垂直腕には高欄の内面を転動する水平荷重支承用ローラが設けられており、前記ゴンドラの下面には複数本の水平脚が固設され、水平脚の先端には橋梁の下面を転動する転動ローラが設けられている。
【０００６】
したがって、水平腕を順次脱着することにより照明灯を越えることができる。また、ゴンドラには３本以上の吊柱が起立固設されているので、１個の水平腕を外してもゴンドラは安定して吊り下がった状態を保つことができる。
また転動ローラによりゴンドラの揺れがなくなり、安全に作業ができる。
【０００７】
また本発明によれば、前記水平腕に設けられている垂直荷重支承用ローラ、及び前記垂直腕に設けられている水平荷重支承用ローラは、高さが可調整に取り付けられているので、垂直荷重支承用ローラ及び水平荷重支承用ローラを縮め、ローラを高欄の面から離してから水平腕を順次脱着することにより、水平腕の脱着が容易にできるようになる。
また本発明によれば、前記水平腕の一端は前記吊柱の肩部に脱着自在に取り付けられ、水平腕の他端には前記垂直腕の肩部が脱着自在に取り付けられているので、長さが異なる水平腕に換えることにより、どのような厚さの高欄にも対応できる。
【０００９】
【発明の実施の形態】
以下、図面を参照して、本発明の橋梁用移動足場の実施の形態を説明する。図１乃至３に示すように、橋梁１の両側には高欄２が設けられ、橋梁用移動足場３で高欄２の外面２ａを点検、保守、修理する。
【００１０】
橋梁用移動足場３は、作業者が搭乗するゴンドラ４と、ゴンドラ４に起立固設された複数本の吊柱５と、吊柱５の上端に脱着自在に取り付けられた水平腕６と、水平腕６の先端に脱着自在に取り付けられた垂直腕７と、ゴンドラ４の下面に固設された複数本の水平脚８で構成されている。
【００１１】
ゴンドラ４の床板４ａの両側及び背側には柵４ｂが設けられ、作業者の落下を防止している。そして、柵４ｂが設けられていない前側が橋梁１の高欄２の外面２ａに対向し、ゴンドラ４に搭乗した作業者が橋梁１及び高欄２を点検、保守、修理するようになっている。なお、図３中の符号４ｃは、作業者が側面から出入りするためのドアである。
【００１２】
吊柱５はゴンドラ４の床板４ａに３本以上、この実施の形態では４本が起立固設され、吊柱５の中間部には高欄２の外面２ａを転動する水平荷重支承用ローラ１０が設けられ、吊柱５の上端には略水平方向へ曲げられた肩部５ａが設けられ、肩部５ａの先端にはフランジ５ｂが設けられている。
【００１３】
図４に詳細に示すように、水平荷重支承用ローラ１０は、吊柱５間に渡された水平杆５ｃに植設されたボルト１０ａと、ボルト１０ａに挿入された基台１０ｂと、基台１０ｂに設けられたローラ１０ｃで構成されている。そして基台１０ｂはボルト１０ａに螺合されたナット１０ｄにより高さが調整できるようになっている。
【００１４】
水平腕６には高欄２の上面２ｂを転動する垂直荷重支承用ローラ１１が設けられ、水平腕６の両端にはフランジ６ａ、６ｂが設けられている。そして、図５に詳細に示すように、水平腕６のフランジ６ａは、吊柱５の肩部５ａのフランジ５ｂにボルト１２で着脱自在に取り付けられている。なお、垂直荷重支承用ローラ１１は水平荷重支承用ローラ１０と同様の構造であり、説明は省略する。
【００１５】
垂直腕７の下部には高欄２の内面２ｃを転動する水平荷重支承用ローラ１３が設けられ、垂直腕７の上端には略水平に曲げられた肩部７ａが設けられ、肩部７ａの先端にはフランジ７ｂが設けられている。そして、フランジ５ｂ及びフランジ６ａと同様に、フランジ７ｂは水平腕６のフランジ６ｂにボルトで脱着自在に取り付けられている。なお、水平荷重支承用ローラ１３も水平荷重支承用ローラ１０と同様の構造であり、説明は省略する。
【００１６】
水平脚８はゴンドラ４の下面に固設され、水平脚８の先端には橋梁１の下面１ａを転動する転動ローラ１４が設けられている。なお、この転動ローラ１４も水平荷重支承用ローラ１０と同様の構造であり、説明は省略する。
【００１７】
吊柱５の肩部５ａの曲がり角度は、高欄２の上面２ｂの傾斜角度と同じであり、垂直腕７の肩部７ａの曲がり角度は、高欄２の内面２ｃの傾斜角度と同じである。これにより、水平腕６の垂直荷重支承用ローラ１１は高欄２の上面２ｂに垂直に当接し、垂直腕７の水平荷重支承用ローラ１３は高欄２の内面２ｃに垂直に当接し、各ローラに無理な負荷が掛かることがなくなる。
【００１８】
次に、橋梁用移動足場３による橋梁１の高欄２の点検、保守、修理の作業の形態を説明する。橋梁１の高欄２に橋梁用移動足場３を吊り下げ、ゴンドラ４に作業員が搭乗し、高欄２の外面を点検、保守、修理する。そして、橋梁用移動足場３を自動車または人力で移動し、高欄２の外面２ａを連続して点検、保守、修理する。
【００１９】
照明灯が設けられている所にきたら、一番端の水平腕６の垂直荷重支承用ローラ１１のナットを緩めてローラを高欄２の上面２ｂから浮かし、同様に垂直腕７の水平荷重支承用ローラ１３のナットを緩めてローラを高欄２の内面２ｃから浮かす。次に、ボルト１２を外し、吊柱５から水平腕６及び垂直腕７を取り外す。そして、橋梁用移動足場３を移動し、外した水平腕６及び垂直腕７を吊柱５にボルト１２で取り付けて固定する。次に、垂直荷重支承用ローラ１１のナットを締めてローラを高欄２の上面２ｂに当接し、水平荷重支承用ローラ１３のナットを締めてローラを高欄２の内面２ｃに当接する。
同様にして、次の水平腕６及び垂直腕７を吊柱５から取り外し、橋梁用移動足場３を移動し、再び水平腕６及び垂直腕７を吊柱５に取り付けて固定する。この作業を吊柱５の数だけ繰り返すことにより、橋梁用移動足場３は照明灯を越えることができる。
【００２０】
【発明の効果】
本発明の橋梁用移動足場の効果を、以下に列挙する。
（１）  吊柱に水平腕が脱着自在に取り付けられているので、水平腕を順次脱着することにより照明灯を越えることができる。
（２）  ゴンドラには３本以上の吊柱が起立固設されているので、１本の水平腕を外してもゴンドラは吊り下がった状態を安定して保つことができる。
（３）  垂直荷重支承用ローラ及び水平荷重支承用ローラは、高さが可調整に取り付けられているので、ローラを高欄の面から離してから水平腕を順次脱着することができ、水平腕の脱着が容易である。
（４）  水平腕は吊柱に脱着自在に取り付けられ、水平腕に垂直腕が脱着自在に取り付けられているので、長さが異なる水平腕に換えることにより、どのような厚さの高欄にも対応できる。
（５）  ゴンドラの下面には複数本の水平脚が固設され、水平脚には橋梁の下面を転動する転動ローラが設けられているので、ゴンドラの揺れがなくなり、安全に作業ができる。
【図面の簡単な説明】
【図１】本発明の橋梁用移動足場の側面図。
【図２】本発明の橋梁用移動足場の正面図。
【図３】本発明の橋梁用移動足場の平面図。
【図４】水平荷重支承用ローラの正面図。
【図５】吊柱に水平腕を取り付けた部分の正面図。
【図６】従来の橋梁用移動足場の側面図。
【符号の説明】
１・・・橋梁
２・・・高欄
３・・・橋梁用移動足場
４・・・ゴンドラ
４ａ・・・床板
４ｂ・・・柵
４ｃ・・・ドア
５・・・吊柱
５ａ・・・肩部
５ｂ・・・フランジ
５ｃ・・・水平杆
６・・・水平腕
６ａ、６ｂ・・・フランジ
７・・・垂直腕
７ａ・・・肩部
７ｂ・・・フランジ
８・・・水平脚
１０、１３・・・水平荷重支承用ローラ
１０ａ・・・ボルト
１０ｂ・・・基台
１０ｃ・・・ローラ
１０ｄ・・・ナット
１１・・・垂直荷重支承用ローラ
１２・・・ボルト
１４・・・転動ローラ
【図１】
0003865578.tif 000002
【図２】
0003865578.tif 000003
【図３】
0003865578.tif 000004
【図４】
0003865578.tif 000005
【図５】
0003865578.tif 000006
【図６】
0003865578.tif 000007